(57)【要約】【課題】  食事の摂取状況により入居者の安否を確認する際に、安否確認の対象となる入居者を適正なものとすることを目的とする。【解決手段】  管理装置用操作部１２により入力された入居者の食事の予約状況と、食事を行うべき所定の時間内における在不在状況とを比較して、食事の予約をしたにも関わらず、食事を行うべき所定の時間内に不在とならなかった入居者を管理装置用制御部１１にて特定し、その入居者の安否確認を促す報知を報知部１６により行うようにしている。これにより、安否確認の対象となる入居者が食事の予約を行った入居者に絞られるので、安否確認の対象となる入居者を適正なものとすることができる。【選択図】        図１
2008165360.tif 000002
【特許請求の範囲】
【請求項１】
入居者が居住している各住戸に設けられ、前記入居者が自分の住戸に在室しているか否かを検出し、在不在状況を示す在不在情報を出力する在不在検出装置と、
前記在不在情報を取得する管理装置用インターフェースと、現在日時情報を出力するタイマー部と、入居者の安否の確認を促す報知を行う報知部と、前記入居者の所定の日時の食事の予約状況を示す食事予約データベースを記憶する記憶部と、前記記憶部に記憶された食事予約データベースによって前記入居者が食事を行うべき所定の時間内に前記在不在検出装置から前記入居者が不在になったことを示す在室情報を取得したか否かを前記タイマー部から出力された現在日時情報により判定し、前記所定の時間内に前記入居者が不在になっていないと判断した場合に、前記不在になっていない入居者に対する安否の確認を促す報知を前記報知部により行わせる管理装置用制御部とを備えた管理装置と、
を有する安否確認システム。
【発明の詳細な説明】
【技術分野】
【０００１】
本発明は、福祉施設などで入居者の安否を確認するための安否確認システムに関する。
【背景技術】
【０００２】
従来、複数の入居者が生活している老人ホームなどの福祉施設では、入居者の安否を確認するために、管理人室に居住する管理人などが各入居者の状態、特に安否の状態を監視するようにしている。
【０００３】
しかしながら、管理人が全ての入居者の安否の状態を監視することは極めて困難であるため、各入居者の住戸に様々なセンサーを設置して各入居者の安否を監視するシステムが存在する。
【０００４】
ところで、老人ホームなどの福祉施設では、入居者が食事をとれるように食堂が設置されている場合がある。このような場合において、入居者を識別して食堂での食堂券の購入状況と、施錠・解錠により作動する各住戸の在不在状況とを組み合わせて各入居者が食事を摂取しているか否かを判定し、食事を摂取していない入居者が異常な状態であるとする安否確認システムが存在する（例えば、特許文献１など）。
【特許文献１】特開２０００−２０７６６８号公報
【０００５】
しかしながら、この特許文献１に記載の技術では、食堂にて食堂券を購入しなかった入居者（例えば、外食する入居者や自分の住戸内で食事をする入居者など）が安否確認の対象となってしまうため、異常な状態であるとされる入居者に正常な状態である入居者が含まれる場合が多くなってしまうという問題があった。また、食堂券を事前に購入した入居者（例えば、昼食の食券を朝に購入した入居者）が安否確認の対象から外れてしまうという問題があった。
【発明の開示】
【発明が解決しようとする課題】
【０００６】
本発明は、このような問題を解決するために成されたものであり、食事の摂取状況により入居者の安否を確認する際に、安否確認の対象となる入居者を適正なものとすることを目的とする。
【課題を解決するための手段】
【０００７】
上述した課題を解決するために、本発明では、入居者の食事の予約状況と食事を行うべき所定の時間内の入居者の在不在状況とを比較して、食事の予約をしたにも関わらず、食事を行うべき所定の時間内に不在状態とならない住戸の入居者の安否確認を促す報知を行うようにしている。
【発明の効果】
【０００８】
上記のように構成した本発明によれば、食事の予約をしたにも関わらず、食事を行うべき所定の時間内に不在状態とならない住戸の入居者、つまり、自室を出ていないため食堂に行っていないと思われる入居者が食事をしていないと推測されるので、その入居者に対して安否確認を促す報知が行われる。これにより、入居者の安否確認を行うことができる。また、安否確認の対象となる入居者が食事の予約を行った入居者に絞られるので、安否確認の対象となる入居者を適正なものとすることができる。
【発明を実施するための最良の形態】
【０００９】
以下、本発明の一実施形態を図面に基づいて説明する。図１は、本実施形態による安否確認システムの構成例を示すブロック図である。図１に示すように、本実施形態による安否確認システムは、在不在検出装置Ａ１〜Ａ４、管理装置１０を備えて構成されている。また、管理装置１０は、管理装置用制御部１１、管理装置用操作部１２、記憶部１３、タイマー部１４、管理装置用インターフェース１５、報知部１６を備えて構成されている。
【００１０】
在不在検出装置Ａ１〜Ａ４は、各入居者が居住する住戸に各々設けられており、伝送線などを介して管理装置１０に各々接続されている。また、在不在検出装置Ａ１〜Ａ４は、住戸内に入居者が存在する場合には在室信号を出力し、住戸内に入居者が存在しない場合には不在信号を出力する。本実施形態では、在室信号および不在信号をまとめて在不在情報と記載する。
【００１１】
ここで、在不在検出装置Ａ１〜Ａ４は、住戸内に入居者が存在するか否かを住戸の玄関ドアの外鍵による施錠により判定している。具体的には、在不在検出装置Ａ１〜Ａ４は、住戸の玄関ドアが外鍵により施錠されたときには住戸内に入居者が存在しないと判断し、住戸の玄関ドアが外鍵により施錠されていないときには住戸内に入居者が存在していると判断する。また、在不在検出装置Ａ１〜Ａ４は、１０１号室から１０４号室に順番に設置されている。また、図示されていない他の住戸にも在不在検出装置が設置されているものとする。
【００１２】
なお、本実施形態では、外鍵の施錠により在不在状態を判断しているが、これに限定されない。例えば、各入居者が部屋を出るときに押下する在不在ボタンにより在不在状態を判断するようにしても良い。また、各入居者が住戸に施錠した後にキーホルダーに鍵を置くことで不在を判断するようにしても良い。
【００１３】
管理装置１０は、管理人が常駐する管理人室などに設置されている。ここで、管理装置１０は、各入居者の食事の予約を行ったり、各入居者の安否の確認を行ったりするためのものである。
【００１４】
管理装置用制御部１１は、管理装置１０の各構成要素を後述するように制御する。管理装置用操作部１２は、各入居者の食事の予約の入力操作を行う。記憶部１３は、食事予約データベースを記憶する。また、記憶部１３は、食事予約プログラムおよび安否確認プログラムを記憶する。
【００１５】
図２は、本実施形態による安否確認システムに適用される食事予約データベースの例を示す図である。同図において、食事予約データベースは、入居者の氏名を示す入居者名情報と、入居者を識別するための入居者識別情報と、入居者の住戸番号を示す住戸番号情報と、各入居者の食事予約の有無を示す食事予約有無情報と、各入居者が食事を予約した場合に付されるそれぞれ異なる予約番号を示す予約番号情報と、食事を行うべき所定の時間内の各入居者の在不在状態を示す在不在情報とをそれぞれ対応付けて格納している。
【００１６】
タイマー部１４は、現在の日時を刻んでおり、現在の日時を示す現在日時情報を出力する。管理装置用インターフェース１５は、各住戸の在不在検出装置Ａ１〜Ａ４から出力された在室信号および不在信号を取得する。報知部１６は、安否を確認すべき入居者の住戸番号および入居者の氏名を報知するためのものであり、ディスプレイなどの表示装置やスピーカなどの放音装置により報知を実現する。
【００１７】
このように構成された安否確認システムは、次のように動作する。まず、入居者は、管理装置１０を操作する管理人などに、食事の予約を口頭などで伝達する。ここで、食事の予約の内容としては、食事の日時および食事のメニューが該当する。管理人は、管理装置用操作部１２により、所定の操作を行う。すると、管理装置用制御部１１は、記憶部１３に記憶されている食事予約プログラムを読み出して実行する。
【００１８】
食事予約プログラムが実行されると、管理装置用制御部１１は、食事の予約を行う入居者を特定するための情報の入力を表示装置（図示せず）などを利用して促す。ここで、管理人は、管理装置用操作部１２によって入居者名を入力したり、入居者識別情報を入力したりする。これにより食事の予約を行った入居者を特定することができる。入居者が特定されると、その入居者の住戸番号情報が他のデータベース（例えば、入居者データベースなど）から自動的に取得される。
【００１９】
次に、管理人は、管理装置用操作部１２により食事の日時を入力する。そして、管理人は、食事のメニューを入力する。ここで、管理人は、食事のメニューを必ずしも入力する必要はない。管理装置用制御部１１は、特定された入居者に対して入力された日時および食事メニューにより食事の予約が行われたと判断し、その内容を食事予約データベースに記憶する（食事予約有無情報を○とする）。また、管理装置用制御部１１は、対応する予約番号情報を生成して食事予約データベースに記憶する。ここで、予約番号は、各食事の予約に対して固有に定められるものである。
【００２０】
このようにして食事の予約が行われると、管理装置用制御部１１は、記憶部１３に記憶されている安否確認プログラムを読み出して実行する。管理装置用制御部１１は、食事予約データベースにて食事の予約が行われている（食事予約有無情報が○である）データについて、該当する日時の在室状況を監視する。
【００２１】
例えば、食事の予約を行った入居者は、所定の時間内（福祉施設により予め定められている時間内）に食事をすることになっている。本実施形態では、１２月１０日の昼食として、午前１１時から午後２時までを所定の時間内としている。このとき、食事の予約を行った入居者は、住戸を出てから外鍵を施錠して食堂に向かう必要がある。そのため、各在不在検出装置Ａ１〜Ａ４からは、所定の時間内に不在信号が出力される必要がある。
【００２２】
具体的には、管理装置用制御部１１は、所定の時間内に不在信号を取得したか否かをタイマー部１４から取得した現在日時情報により監視する。所定の時間内に管理装置１０が管理装置用インターフェース１５により不在信号を取得すると、管理装置用制御部１１は、記憶部１３に記憶されている食事予約データベースに対して、不在信号を出力した在不在検出装置が設置された住戸番号により各住戸の在不在情報を書き換える（在室状況を×とする）。
【００２３】
一方、所定の時間内に管理装置１０が管理装置用インターフェース１５により不在信号を取得していない、換言すると食事の予約を行った入居者が所定の時間内に住戸を一歩も出ていない状態になると、管理装置用制御部１１は、不在信号を出力しなかった（または、在室信号を出力し続けた）在不在検出装置を設置した住戸を特定する。そして、管理装置用制御部１１は、記憶部１３に記憶されている食事予約データベースに対して、特定された住戸番号の在不在情報を書き換える（在不在情報を○とする）。また、管理装置用制御部１１は、食事の予約を行ったものの所定の時間内に食事を行っていない入居者（在不在情報が○である入居者）の安否の確認を促す報知を報知部１６により行う。
【００２４】
例えば、図２において、入居者識別情報００１、住戸番号１０１号室、１２月１０日の昼食の予約有、予約番号１００１である入居者名「○○  ○○」さんは、所定の時間内（午前１１時から午後２時まで）に在不在情報が×（在不在検出装置Ａ１から不在信号が出力された）となっているため、管理装置用制御部１１では、安否を確認する必要が無いと判断する。
【００２５】
また、入居者識別情報００２、部屋番号１０２号室、１２月１０日の昼食の予約有、予約番号１００２である入居者名「××  ××」さんも、所定の時間内（午前１１時から午後２時まで）に在不在情報が×（在不在検出装置Ａ２から不在信号が出力された）となっているため、管理装置用制御部１１では、安否を確認する必要が無いと判断する。
【００２６】
一方、入居者識別情報００３、部屋番号１０３号室、１２月１０日の昼食の予約有、予約番号１００３である入居者名「△△  △△」さんは、所定の時間内（午前１１時から午後２時まで）に在不在情報が○（在不在検出装置Ａ３から不在信号が出力されなかった）となっているため、管理装置用制御部１１では、食事を行っていないと判断し、安否を確認する必要が有ると判断して、図３に示すような警告画面を報知部１６により報知する。管理人は、この警告画面を見て１０３号室の入居者に対して安否の確認を行う。
【００２７】
また、入居者識別情報００４、部屋番号１０４号室、１２月１０日の昼食の予約無である入居者名「□□  □□」さんは、食事の予約をしていないため、安否確認の対象から除外される。
【００２８】
以上詳しく説明したように、本実施形態によれば、管理装置用操作部１２により入力された入居者の食事の予約状況と、食事を行うべき所定の時間内における在不在状況とを比較して、食事の予約をしたにも関わらず、食事を行うべき所定の時間内に不在とならなかった入居者を管理装置用制御部１１にて特定し、その入居者の安否確認を促す報知を報知部１６により行うようにしている。これにより、安否確認の対象となる入居者が食事の予約を行った入居者に絞られるので、安否確認の対象となる入居者を適正なものとすることができる。
【００２９】
なお、前述した実施形態では、食事の予約を管理装置１０にて行ったが、これに限定されない。例えば、各入居者の部屋内に設置された情報端末（図示せず）などにより予約できるようにしても良い。これにより、管理装置１０を操作する管理人に手間をかけないようにすることができる。
【００３０】
また、前述した実施形態では、在不在検出装置Ａ１〜Ａ４は、入居者が在室しているときでも在室信号を出力するようにしているが、これに限定されない。例えば、不在時にのみ不在信号を出力し、在室時には在室信号を出力しないようにしても良い。同様に、在室時にのみ在室信号を出力し、不在時には不在信号を出力しないようにしても良い。
【００３１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３２】
【図１】本実施形態による安否確認システムの構成例を示すブロック図である。
【図２】本実施形態による安否確認システムに適用される食事予約データベースの例を示す図である。
【図３】本実施形態による安否確認システムの管理装置の報知部に表示される画面の例を示す図である。
【符号の説明】
【００３３】
Ａ１、Ａ２、Ａ３、Ａ４    在不在検出装置
１０    管理装置
１１    管理装置用制御部
１２    管理装置用操作部
１３    記憶部
１４    タイマー部
１５    管理装置用インターフェース
１６    報知部
【図１】
2008165360.tif 000003
【図２】
2008165360.tif 000004
【図３】
2008165360.tif 000005